(57)【要約】【課題】  不使用時に通行の邪魔にならず、また、景観を著しく損なうこともなく、しかも、容易に設置したり移設することができる折り畳み式ゴミ袋覆い装置を提供する。【解決手段】  設置面１４に実質的に水平に固定された水平軸１５と、水平軸１５又はその近傍に立設して取付けられた門形固定部材２４と、両端が水平軸１５に回動可能に取付けられた複数の門形可動部材１６〜２０と、対象物であるゴミ袋Ｇを覆い、所定ピッチで固定した門形可動部材１６〜２０の回動に合わせて、水平軸１５を基準にして実質的に立設位置Ｖから水平位置Ｈまで展開可能なネット部材２２と、ネット部材２２の背部に設けられ、門形固定部材２４の開口部２３を覆うカバー部材５３と、門形可動部材１６〜２０のうち設置面１４に当接する門形可動部材２０を持ち上げてネット部材２２を折り曲げ収納した状態で、門形可動部材２０を固定保持するロック機構５４とを有する。【選択図】        図１
2005239388.tif 000002
【特許請求の範囲】
【請求項１】
設置面に実質的に水平に固定された水平軸と、
前記水平軸又はその近傍に立設して取付けられた門形固定部材と、
両端が前記水平軸に回動可能に取付けられた複数の門形可動部材と、
対象物であるゴミ袋を覆い、所定ピッチで固定した前記門形可動部材の回動に合わせて、前記水平軸を基準にして実質的に立設位置から水平位置まで展開可能なネット部材と、
前記ネット部材の背部に設けられ、前記門形固定部材の開口部を覆うネット又は板からなるカバー部材と、
前記門形可動部材のうち前記設置面に当接する門形可動部材Ａを持ち上げて前記ネット部材を折り曲げ収納した状態で、前記門形可動部材Ａを固定保持するロック機構とを有することを特徴とする折り畳み式ゴミ袋覆い装置。
【請求項２】
請求項１記載の折り畳み式ゴミ袋覆い装置において、前記門形固定部材は、両側に設けられた三角枠状の脚材Ｂとこれを連結する連結材Ｃとを有する固定フレームからなって、該固定フレーム内に前記門形可動部材及びネット部材が収納可能となっていることを特徴とする折り畳み式ゴミ袋覆い装置。
【請求項３】
請求項１記載の折り畳み式ゴミ袋覆い装置において、前記門形可動部材Ａが、両側に設けられた三角枠状の脚材Ｄとこれを連結する連結材Ｅとを有する可動フレームＡからなっていることを特徴とする折り畳み式ゴミ袋覆い装置。
【請求項４】
請求項２記載の折り畳み式ゴミ袋覆い装置において、前記門形可動部材Ａが、両側に設けられた三角枠状の脚材Ｄとこれを連結する連結材Ｅとを有する可動フレームＡからなっていることを特徴とする折り畳み式ゴミ袋覆い装置。
【請求項５】
請求項４記載の折り畳み式ゴミ袋覆い装置において、前記門形可動部材Ａに隣接する門形可動部材Ｆは、両側に設けられた三角枠状の脚材Ｇとこれを連結する連結材Ｈとを有する可動フレームＦからなって、該可動フレームＦ内に前記可動フレームＡが収納可能となっていることを特徴とする折り畳み式ゴミ袋覆い装置。
【請求項６】
請求項１記載の折り畳み式ゴミ袋覆い装置において、前記門形固定部材及び前記門形可動部材は、両側に設けられた三角枠状の脚材とこれを連結する連結材とを有する門形フレームからそれぞれ形成されていることを特徴とする折り畳み式ゴミ袋覆い装置。
【請求項７】
請求項３〜５のいずれか１項に記載の折り畳み式ゴミ袋覆い装置において、前記ネット部材は、前記可動フレームＡをカバーする部分とそれ以外の部分とに分割されていることを特徴とする折り畳み式ゴミ袋覆い装置。
【請求項８】
請求項１〜７のいずれか１項に記載の折り畳み式ゴミ袋覆い装置において、前記門形固定部材及び前記門形可動部材は主として線材を折り曲げて形成されていることを特徴とする折り畳み式ゴミ袋覆い装置。
【請求項９】
請求項１〜８のいずれか１項に記載の折り畳み式ゴミ袋覆い装置において、前記ロック機構をワンタッチ式としたことを特徴とする折り畳み式ゴミ袋覆い装置。
【請求項１０】
請求項１〜９のいずれか１項に記載の折り畳み式ゴミ袋覆い装置において、前記門形可動部材Ａに回動用の把手を設けたことを特徴とする折り畳み式ゴミ袋覆い装置。
【発明の詳細な説明】
【技術分野】
【０００１】
本発明は、猫やカラス等によるゴミの散乱を防止するゴミ回収場に設置される折り畳み式ゴミ袋覆い装置に関する。
【背景技術】
【０００２】
従来、一般家庭用ゴミのゴミ回収場は、ゴミ袋をそのまま放置すると猫やカラス等がゴミ袋を破ってゴミを周囲に散乱させるため、ゴミ袋をネットや回収箱により覆う必要があった。例えば、ゴミ袋を風呂敷状のネットで覆う場合では、ネットの周辺に載せた複数個の重りを取り除いてネットを持ち上げてからネットの下にゴミ袋を投入した（積み重ねた）後、ネットでゴミ袋を覆ってネットの周辺に重りを載置するため、面倒で手間のかかる作業となっていた。これを改善する方法として、開閉自在のゴミ袋投入口を介して内部に投入されたゴミ袋を覆うことができるドーム状の簡易式ゴミ袋覆い装置が知られている（例えば、特許文献１参照）。このゴミ袋覆い装置は、ゴミ袋回収時に、半ドーム状に開放又は全開放にしてゴミ袋を取り出すように構成されていた。
【０００３】
【特許文献１】特開２００３−３２７３０２号公報（図１及び図２）
【発明の開示】
【発明が解決しようとする課題】
【０００４】
しかしながら、前記従来のゴミ袋覆い装置は未だ解決すべき以下のような問題があった。
ゴミ袋覆い装置は、歩道の一部に設置されるので、使用していない時、即ち、ゴミ袋回収業者がゴミ袋を回収した時から、次に、住民がゴミ袋を投入する時までの間、通行の邪魔になることがあり、また、景観を著しく損なうことがあった。
【０００５】
本発明はかかる事情に鑑みてなされたもので、不使用時に通行の邪魔にならず、また、景観を著しく損なうこともなく、しかも、容易に設置したり移設することができ、維持管理が容易で、" 捨てる" 、" 集める" の作業が著しく楽にできる折り畳み式ゴミ袋覆い装置を提供することを目的とする。
【課題を解決するための手段】
【０００６】
前記目的に沿う請求項１記載の折り畳み式ゴミ袋覆い装置は、設置面に実質的に水平に固定された水平軸と、
前記水平軸又はその近傍に立設して取付けられた門形固定部材と、
両端が前記水平軸に回動可能に取付けられた複数の門形可動部材と、
対象物であるゴミ袋を覆い、所定ピッチで固定した前記門形可動部材の回動に合わせて、前記水平軸を基準にして実質的に立設位置から水平位置まで展開可能なネット部材と、
前記ネット部材の背部に設けられ、前記門形固定部材の開口部を覆うネット又は板からなるカバー部材と、
前記門形可動部材のうち前記設置面に当接する門形可動部材Ａを持ち上げて前記ネット部材を折り曲げ収納した状態で、前記門形可動部材Ａを固定保持するロック機構とを有する。
【０００７】
請求項２記載の折り畳み式ゴミ袋覆い装置は、請求項１記載の折り畳み式ゴミ袋覆い装置において、前記門形固定部材は、両側に設けられた三角枠状の脚材Ｂとこれを連結する連結材Ｃとを有する固定フレームからなって、該固定フレーム内に前記門形可動部材及びネット部材が収納可能となっている。
請求項３記載の折り畳み式ゴミ袋覆い装置は、請求項１記載の折り畳み式ゴミ袋覆い装置において、前記門形可動部材Ａが、両側に設けられた三角枠状の脚材Ｄとこれを連結する連結材Ｅとを有する可動フレームＡからなっている。
【０００８】
請求項４記載の折り畳み式ゴミ袋覆い装置は、請求項２記載の折り畳み式ゴミ袋覆い装置において、前記門形可動部材Ａが、両側に設けられた三角枠状の脚材Ｄとこれを連結する連結材Ｅとを有する可動フレームＡからなっている。
請求項５記載の折り畳み式ゴミ袋覆い装置は、請求項４記載の折り畳み式ゴミ袋覆い装置において、前記門形可動部材Ａに隣接する門形可動部材Ｆは、両側に設けられた三角枠状の脚材Ｇとこれを連結する連結材Ｈとを有する可動フレームＦからなって、該可動フレームＦ内に前記可動フレームＡが収納可能となっている。
請求項６記載の折り畳み式ゴミ袋覆い装置は、請求項１記載の折り畳み式ゴミ袋覆い装置において、前記門形固定部材及び前記門形可動部材は、両側に設けられた三角枠状の脚材とこれを連結する連結材とを有する門形フレームからそれぞれ形成されている。
【０００９】
請求項７記載の折り畳み式ゴミ袋覆い装置は、請求項３〜５記載の折り畳み式ゴミ袋覆い装置において、前記ネット部材は、前記可動フレームＡをカバーする部分とそれ以外の部分とに分割されている。
請求項８記載の折り畳み式ゴミ袋覆い装置は、請求項１〜７記載の折り畳み式ゴミ袋覆い装置において、前記門形固定部材及び前記門形可動部材は主として線材を折り曲げて形成されている。
請求項９記載の折り畳み式ゴミ袋覆い装置は、請求項１〜８記載の折り畳み式ゴミ袋覆い装置において、前記ロック機構をワンタッチ式としている。
請求項１０記載の折り畳み式ゴミ袋覆い装置は、請求項１〜９記載の折り畳み式ゴミ袋覆い装置において、前記門形可動部材Ａに回動用の把手を設けている。
【発明の効果】
【００１０】
請求項１〜１０記載の折り畳み式ゴミ袋覆い装置においては、両端が水平軸に回動可能な複数の門形可動部材の回動に合わせてネット部材を立設位置から水平位置まで展開させてゴミ袋を覆うことができ、設置面に当接する門形可動部材Ａを持ち上げて、ネット部材を折り曲げ収納した状態で、ロック機構により門形可動部材Ａを立設位置で固定保持することができるので、使用していない時（不使用時）にはコンパクトに折り畳まれ、この結果、通行の邪魔にならず、また、景観を著しく損なうこともない。さらに、ゴミ回収業者はロック機構により門形可動部材Ａを立設位置で固定保持した状態でゴミ袋の回収を行い、その後は、地域住民が折り畳み操作を行なう必要がなく、次回の回収までコンパクトに折り畳まれた状態に維持することができる。また、コンパクト、かつ、軽量に構成されているので、設置、移設が容易にできる。しかも、ネット部材の折り畳みは門形可動部材Ａを上に持ち上げるだけで済むので、操作が極めて簡単である。
【００１１】
特に、請求項２記載の折り畳み式ゴミ袋覆い装置においては、門形可動部材及びネット部材は、両側に設けられた三角枠状の脚材Ｂとこれを連結する連結材Ｃとを有する固定フレームからなる門形固定部材内に収納可能となっているので、景観が更に改善できる。
請求項３及び４記載の折り畳み式ゴミ袋覆い装置においては、門形可動部材Ａが、両側に設けられた三角枠状の脚材Ｄとこれを連結する連結材Ｅとを有する可動フレームＡからなっているので、門形可動部材Ａの剛性が大きくなり、投入されたゴミ袋や外力が門形可動部材Ａに接触しても、門形可動部材Ａが損傷、変形する恐れが無い。
請求項５記載の折り畳み式ゴミ袋覆い装置においては、門形可動部材Ａに隣接する門形可動部材Ｆは、両側に設けられた三角枠状の脚材Ｇとこれを連結する連結材Ｈとを有する可動フレームＦからなって、可動フレームＦ内に可動フレームＡが収納可能となっているので、不使用時、外力による可動フレームＡの損傷、変形を可動フレームＦにより防止することができる。
【００１２】
請求項６記載の折り畳み式ゴミ袋覆い装置においては、門形固定部材及び門形可動部材は、両側に設けられた三角枠状の脚材とこれを連結する連結材とを有する門形フレームからそれぞれ形成され、門形フレームの剛性が大きいため、門形固定部材及び門形可動部材の損傷、変形の恐れが無い。
請求項７記載の折り畳み式ゴミ袋覆い装置においては、ネット部材は、可動フレームＡをカバーする部分とそれ以外の部分とに分割されているので、可動フレームＡを設置面に置いた状態でゴミ袋を投入することができるため、ゴミ袋を載置可能な領域（範囲）が明確になると共に、設置面に投入されたゴミ袋が周囲に移動するのを防止することができ、これにより、ゴミ袋の投入作業が効率的に行なえる。
【００１３】
請求項８記載の折り畳み式ゴミ袋覆い装置においては、門形固定部材及び門形可動部材は主として線材を折り曲げて形成されているので、製造が簡略化される。
請求項９記載の折り畳み式ゴミ袋覆い装置においては、ロック機構をワンタッチ式としているので、軽量な門形可動部材を片手でも持ち上げられ、容易に操作できる。
請求項１０記載の折り畳み式ゴミ袋覆い装置においては、門形可動部材Ａに回動用の把手を設けているので、ネット部材を折り畳んだり、ネット部材を展開することが楽に行なえる。
【発明を実施するための最良の形態】
【００１４】
続いて、添付した図面を参照しつつ、本発明を具体化した実施の形態につき説明し、本発明の理解に供する。
ここで、図１は本発明の第１の実施の形態に係る折り畳み式ゴミ袋覆い装置の側面図、図２は同折り畳み式ゴミ袋覆い装置の門形フレームの説明図、図３は同折り畳み式ゴミ袋覆い装置の水平軸の説明図、図４（Ａ）、（Ｂ）はそれぞれ、同折り畳み式ゴミ袋覆い装置のロック機構のロック時、ロック解除時の状態を表す説明図、図５（Ａ）、（Ｂ）はそれぞれ、本発明の第２の実施の形態に係る折り畳み式ゴミ袋覆い装置の不使用時（折り畳み時）、使用時（ゴミ袋堆積時）を説明する側面図、図６（Ａ）、（Ｂ）はそれぞれ、同折り畳み式ゴミ袋覆い装置の不使用時、使用時を模式的に説明する正面図、図７（Ａ）、（Ｂ）はそれぞれ、本発明の第３の実施の形態に係る折り畳み式ゴミ袋覆い装置の不使用時、使用時を説明する側面図、図８（Ａ）、（Ｂ）はそれぞれ、同折り畳み式ゴミ袋覆い装置の不使用時、使用時を模式的に説明する正面図である。
【００１５】
図１〜図４に示すように、本発明の第１の実施の形態に係る折り畳み式ゴミ袋覆い装置１０は、歩道１１と車道１２の境界に設けられたガードレール１３の下端部に、図示しない取付部材を介して設けられ、設置面１４に実質的に水平に固定された水平軸１５と、水平軸１５に立設して取付けられた門形固定部材の一例である固定フレーム２４と、両端が水平軸１５に回動可能に取付けられた複数の門形可動部材１６〜２０と、対象物であるゴミ袋Ｇを覆い、所定ピッチで固定した門形可動部材１６〜２０の回動に合わせて、水平軸１５を基準にして実質的に立設位置Ｖから水平位置Ｈまで展開可能なネット部材２２と、ネット部材２２の背部に設けられ、固定フレーム２４の開口部２３を覆うカバー部材の一例であるネット５３と、門形可動部材１６〜２０のうち設置面１４に当接する門形可動部材２０を持ち上げてネット部材２２を折り曲げ収納した状態で、門形可動部材２０を固定保持するロック機構５４とを有する。以下、これらについて詳しく説明する。
【００１６】
図１〜図３に示すように、門形可動部材１６〜２０はそれぞれ主として、線径ｄ（例えば、ｄ＝１０〜１３ｍｍ）の線材を折り曲げて形成されている。門形可動部材１６、１７、１８は、水平軸１５に直交して平行間隔Ｌ、Ｌａ、Ｌｂをあけて配置された対となる棒状の脚材２５及び２６、２５ａ及び２６ａ、２５ｂ及び２６ｂと、脚材２５及び２６、２５ａ及び２６ａ、２５ｂ及び２６ｂの先端部同士を水平に連結する連結材２７、２７ａ、２７ｂとを備えている。ここで、Ｌ−Ｌａ＝Ｌａ−Ｌｂ＞２ｄとしている。
【００１７】
一方、設置面１４に当接する門形可動部材（門形可動部材Ａ）２０は、両側に設けられた三角枠状の脚材（脚材Ｄ）３２ａとこれを連結する連結材（連結材Ｅ）３３ａ、３４ａとを有する可動フレーム（可動フレームＡ）からなっている。各脚材３２ａは側面視して、水平軸１５を頂点にして概略２等辺三角形状（又は扇形状）に形成されている。即ち、２等辺に相当する一対の脚部２８ａ及び２９ａと、脚部２８ａ、２９ａの先端部同士を周方向に連結する連結部３１ａとからなる。水平間隔Ｌｄをあけて対向して配置された脚材３２ａの上端部は、周方向に平行間隔をあけて水平に配置された連結材３３ａ、３４ａによって連結されている。なお、脚材３２ａの水平軸１５側の基端部の外径はｄとなっている。
【００１８】
また、門形可動部材２０に隣接する門形可動部材（門形可動部材Ｆ）１９は、両側に設けられた三角枠状の脚材（脚材Ｇ）３２とこれを連結する連結材（連結材Ｈ）３３、３４とを有する可動フレーム（可動フレームＦ）からなっている。各脚材３２は側面視して、水平軸１５を頂点にして概略２等辺三角形状（又は扇形状）に形成されている。即ち、２等辺に相当する一対の脚部２８及び２９と、脚部２８、２９の先端部同士を周方向に連結する連結部３１とからなる。水平間隔Ｌｃをあけて対向して配置された脚材３２の上端部は、周方向に平行間隔をあけて水平に配置された連結材３３、３４によって連結されている。なお、脚材３２の水平軸１５側の基端部の外径はｄとなっている。ここで、Ｌｃ−Ｌｄ＞２ｄとしている。
【００１９】
固定フレーム２４は、主として線径ｄ（例えば、ｄ＝１０〜１３ｍｍ）の線材を折り曲げて形成されており、両側に設けられた三角枠状の脚材（脚材Ｂ）３９とこれを連結する連結材（連結材Ｃ）４０、４１とを有している。各脚材３９は、側面視して、水平軸１５を頂点にして概略２等辺三角形状（又は扇形状）に形成されている。即ち、２等辺に相当する一対の脚部３５及び３６と、脚部３５、３６の先端部同士を周方向に連結する連結部３８とからなる。水平間隔Ｌｅをあけて対向して配置された脚材３９の上端部は、周方向に平行間隔をあけて水平に配置された連結材４０、４１によって連結されている。なお、脚材３９の水平軸１５側の基端部の外径はｄとなっている。ここで、Ｌｅ−Ｌ＞２ｄとしている。正面視して矩形状の固定フレーム２４には、固定フレーム２４の開口部２３を覆う矩形状のネット５３が多数の必要強度を有する紐（図示せず）により固定されている。
【００２０】
図３に示すように、水平軸１５は、直径Ｄ（例えば、１５〜３０ｍｍ）を有する棒状の軸本体４２と、軸本体４２の両端部に所定の間隔をあけて対向して設けられ、溶接により軸本体４２に固定されたリング板状の位置決めストッパー４３、４４とを備えている。位置決めストッパー４４（４３も同じ）の軸方向外側には、位置決めストッパー４４に接して、リング板状の回動部材４５〜４９が隣接して配置されており、回動部材４５〜４９は軸本体４２の回りを回動することができる。回動部材４５〜４９にはそれぞれ、半径方向に嵌入穴４５ａ〜４９ａ（内径ｄ）が形成されており、嵌入穴４５ａ〜４９ａには、門形可動部材２０、１９の脚材３２ａ、３２の基端部、門形可動部材１８、１７、１６の脚材２６ｂ、２６ａ、２６の基端部がそれぞれ嵌入され、固定されている。
【００２１】
回動部材４９に接して、回動部材４９の軸方向外側には、回動部材４５〜４９と外形が同じリング板状の固定部材５０がピン５１を介して軸本体４２に固定されている。固定部材５０の半径方向に、しかも、略垂直方向に形成された嵌入穴５０ａ（内径ｄ）に、固定フレーム２４の脚材３９の基端部が嵌入され、軸本体４２に固定されている。図３の拡大図に示すように、軸本体４２の固定部材５０外側には、固定部材５０の軸方向の位置決め用のテーパーピン（図示せず）が嵌入するピン孔５２が形成されている。
【００２２】
図１に示すように、ネット部材２２は対象物である堆積されたゴミ袋Ｇを覆い、所定ピッチで固定された門形可動部材１６〜２０の回動に合わせて、水平軸１５を基準にして実質的に立設位置Ｖから水平位置Ｈまで展開可能となるように、ネット部材２２の反時計回り側の端部は固定フレーム２４の脚材３９の脚部３５及び連結材４０に取付けられ、時計回り側の端部は門形可動部材２０の脚材３２ａの脚部２９ａ及び連結材３４ａに取付けられている。また、ネット部材２２は、門形可動部材１６〜２０及び固定フレーム２４の各構成部材に必要強度を有する紐により適宜固定されている。
【００２３】
図１に示すように、門形可動部材２０を持ち上げてネット部材２２を折り曲げて門形可動部材１６〜２０を固定フレーム２４内に収納できるように、更に、門形可動部材１９内には門形可動部材２０が収納できるように、門形可動部材１６〜１８の高さＨ1 、門形可動部材１９の高さＨ2 及び門形可動部材２０の高さＨ3 は、固定フレーム２４の高さＨ4 より小さく形成されており、ここで、Ｈ1 ＝Ｈ2 であり、Ｈ4 −Ｈ1 ＝Ｈ1 −Ｈ3 ＞ｄとしている。このように、門形可動部材１６〜２０は、固定フレーム２４に対して縦横（即ち、高さＨ1 〜Ｈ、平行間隔Ｌ、Ｌａ〜Ｌｄ）の寸法が入れ子式に順次小さくなるように構成されている。
【００２４】
図１に示すように、門形可動部材２０の連結材３４ａの長手方向の中央部には、門形可動部材２０を固定フレーム２４に固定保持するロック機構５４の一部を構成する掛止金具５５が設けられている。掛止金具５５は線材を加工して形成されており、水平方向に平行間隔をあけて対向して配置された対となるＬ形の取付部５６と、取付部５６の先端部同士を連結し水平に配置された掛止部５７とを備えている。
【００２５】
図４（Ａ）、（Ｂ）に示すように、ロック機構５４は、固定フレーム２４の連結材４１の長手方向の中央部に取付けられ連結材４１に固定された平面視してコ字状の取付フレーム５８と、取付フレーム５８に水平に固定されたピン５９の回りを回動可能なロックプレート６０と、門形可動部材２０の連結材３４ａに設けられた掛止金具５５とを備えている。取付フレーム５８には、門形可動部材２０の掛止金具５５の掛止部５７が挿通する、側面視してＵ字状の切欠き溝６１が略水平に形成されている。
【００２６】
ロックプレート６０は、取付フレーム５８から突出する把手部６２と、把手部６２の基部に設けられた固定部６３と、把手部６２の基部に固定部６３とは分岐して設けられた掛止部６４とを有している。ピン５９は切欠き溝６１の水平方向の延長線上位置に設けられ、ピン５９にはロックプレート６０の固定部６３が取付けられている。ロックプレート６０には、対向して配置された固定部６３と掛止部６４とにより、側面視して下側に開口を有するＵ字状の掛止溝６５が形成されている。
【００２７】
図４（Ａ）に示すように、操作しない状態のロックプレート６０の掛止部６４は外側面（前側面）６６が切欠き溝６１に対して傾斜角度α（約４５°）で内側（切欠き溝６１の奥側）に沿って下方に傾斜しており、しかも、切欠き溝６１の奥まで挿入された門形可動部材２０の掛止金具５５の掛止部５７が外側に移動できないようにブロックすることができるように形成されている。門形可動部材２０の掛止金具５５の掛止部５７が切欠き溝６１に入ると、掛止部５７がロックプレート６０の掛止部６４の外側面６６に当たり、さらに掛止部５７の奥側への移動につれて、掛止部５７と接触した掛止部６４の外側面６６を介して掛止部６４を持ち上げることによって、ロックプレート６０はピン５９の回りを反時計回りに回動し、図４（Ｂ）に示す状態と略同じになる。
【００２８】
さらに、掛止金具５５の掛止部５７は切欠き溝６１の奥まで移動するが、この際、ロックプレート６０の重心Ｇがピン５９に対して手前側に位置するように構成されているので、ロックプレート６０は自重によりピン５９の回りを時計回りに回動して、図４（Ａ）に示す初期の状態に戻る。従って、この状態では、掛止金具５５の掛止部５７は切欠き溝６１を手前側に移動することができず、門形可動部材２０は固定フレーム２４に固定保持されることになる。門形可動部材２０を固定フレーム２４から固定解除するためには、図４（Ｂ）に示すように、ロックプレート６０の把手部６２を手で掴んでロックプレート６０をピン５９の回りに反時計回りに回動させて、掛止部６４を切欠き溝６１より上方に移動させて、掛止金具５５の掛止部５７を切欠き溝６１の入口側（手前側）に移動する。
【００２９】
次いで、本発明の第１の実施の形態に係る折り畳み式ゴミ袋覆い装置１０の使用方法及び作用（又は動作）について、図を参照しながら説明する。
（１）図１に示すように、歩道１１と車道１２の境界に設けられたガードレール１３の下端部に、取付部材（図示せず）を介して折り畳み式ゴミ袋覆い装置１０の水平軸１５を固定し、折り畳み式ゴミ袋覆い装置１０を設置する。
（２）ネット部材２２は折り畳まれて、門形可動部材２０は略立設位置Ｖになっており、図４（Ａ）に示すように、ロック機構５４により、門形可動部材２０が固定フレーム２４に固定されている。この不使用の状態の折り畳み式ゴミ袋覆い装置１０は、通行の邪魔にならず、また、景観を著しく損なうこともない。
【００３０】
（３）最初の利用者（住民）は、先ず設置面１４の所定の位置にゴミ袋Ｇを置き、図４（Ａ）に示す状態のロック機構５４のロックプレート６０を右手で掴み、左手で門形可動部材２０を持って、図４（Ｂ）に示すようにロックプレート６０を操作してロックを解除し、門形可動部材１６〜１９を伴った門形可動部材２０を水平軸１５の時計回りに回動させて設置面１４に当接させる。ここで、ネット部材２２は張った状態になっている。
（４）以降の利用者は、左手でゴミ袋Ｇを持って、設置面１４に当接している門形可動部材２０の掛止金具５５を右手で掴んで、門形可動部材２０を水平軸１５の回りに反時計方向に回動させると、掛止金具５５の取付部５６が門形可動部材１９の連結材３４に当接し、門形可動部材１９を伴って門形可動部材２０を水平軸１５の回りに反時計方向に回動させることができる。この際、移動する部位のネット部材２２は適宜折り曲げられる。以下、同様である。
【００３１】
（５）さらに、門形可動部材２０を水平軸１５の回りに反時計方向に回動させると、門形可動部材１９の連結材３３にはじめから当接している門形可動部材１８の連結材２７ｂを介して、門形可動部材１８を伴って門形可動部材２０を回動させることができる。
（６）以降、順次、門形可動部材１８が門形可動部材１７に、門形可動部材１７が門形可動部材１６に当接し、門形可動部材１７及び門形可動部材１６を伴って門形可動部材２０を水平軸１５の回りに反時計方向に回動させることができる。
【００３２】
（７）前記（４）〜（６）において、左手で掴んだゴミ袋Ｇのサイズ、個数、重量、また、利用者の状況（背の高さ、持っているパワー等）に応じて、設置面１４上にゴミ袋Ｇを投入し、順次、ゴミ袋Ｇを投入するために必要な空間を形成するように、門形可動部材２０の回動量を適宜決定して、ゴミ袋Ｇを投入し、堆積する。
（８）ゴミ袋Ｇの投入が終了すると、右手で掴んでいる門形可動部材２０の掛止金具５５を下げて、門形可動部材２０を設置面１４に下ろす。この際、折り曲げられたネット部材２２は、逆の順序で元通りの張った状態に戻る。この状態では、ゴミ袋Ｇがネット部材２２により覆われているので、猫やカラスにより内部のゴミ袋Ｇを外部に散乱させることができない。
【００３３】
（９）以降、前記（４）〜（８）の要領で、後の利用者は投入されたゴミ袋Ｇの堆積された状況に応じて、門形可動部材２０を持ち上げて門形可動部材２０の回動量を適宜増加させて、使用限度までゴミ袋Ｇを投入し、堆積し、その後、門形可動部材２０を設置面１４に下ろす。
（１０）ゴミ袋Ｇの回収時、回収業者は門形可動部材２０の掛止金具５５以外の部位を両手（又は片手）で掴んで、門形可動部材２０を水平軸１５の回りに反時計方向に限度まで回動させると、門形可動部材１６〜１８及び門形可動部材１９は固定フレーム２４の内側の空間に入り込むと共に、門形可動部材２０は門形可動部材１６〜１８及び門形可動部材１９の内側の空間に入り込む。この際、図４（Ａ）に示すように、門形可動部材２０の回動動作により、ロック機構５４が作動して、掛止金具５５を介して、門形可動部材１６〜１９を伴った門形可動部材２０が自動的に固定フレーム２４に固定され保持され、前記（２）の状態に戻る。
（１１）回収業者は、設置面１４に堆積したゴミ袋Ｇをゴミ回収車に回収する。
【００３４】
図５（Ａ）、（Ｂ）及び図６（Ａ）、（Ｂ）を参照しながら、本発明の第２の実施の形態に係る折り畳み式ゴミ袋覆い装置７０について説明する。なお、折り畳み式ゴミ袋覆い装置１０と同一の構成要素については、同じ符号を付し、詳しい説明を省略する。また、門形可動部材や水平軸等、折り畳み式ゴミ袋覆い装置１０と同じ機能を有するものについても詳しい説明を省略する（以下の実施の形態についても同様）。
【００３５】
折り畳み式ゴミ袋覆い装置７０は、歩道１１と車道１２の境界に設けられたガードレール１３の下端部に、取付部材（図示せず）を介して設けられ、設置面１４に実質的に水平に固定された水平軸７１と、水平軸７１に立設して取付けられた門形固定部材８０と、両端が水平軸７１に回動可能に取付けられた門形可動部材７２〜７７と、対象物であるゴミ袋Ｇを覆い、所定ピッチで固定した門形可動部材７２〜７７の回動に合わせて、水平軸７１を基準にして実質的に立設位置Ｖから水平位置Ｈまで展開可能なネット部材７８と、ネット部材７８の背部に設けられ、門形固定部材８０の開口部７９を覆うカバー部材の一例であるネット（図示せず）と、門形可動部材７２〜７７のうち設置面１４に当接する門形可動部材７７を持ち上げてネット部材７８を折り曲げ収納した状態で、門形可動部材７７を固定保持するロック機構（図示せず、前記ロック機構５４と同様の構造となっている）とを有する。
【００３６】
設置面１４に当接する門形可動部材７７は、折り畳み式ゴミ袋覆い装置１０の門形可動部材２０と同様、両側に設けられた三角枠状の脚材（脚材Ｄ）とこれを連結する連結材（連結材Ｅ）とを有する可動フレーム（可動フレームＡ）からなっている。脚材は側面視して、水平軸７１を頂点にして概略２等辺三角形状に形成されており、一方、門形可動部材７２〜７６は、折り畳み式ゴミ袋覆い装置１０の門形可動部材１６〜１８と同様、１本の線材を曲げ加工して形成され、両側の棒状の脚材とこれを連結する連結材とを有している。
【００３７】
門形固定部材８０は、門形可動部材７２〜７６と同じ構成となっており、門形固定部材８０には、ネット部材７８の背部に形成される開口部７９を覆う矩形状に形成されたネットが取付けられている。門形固定部材８０及び門形可動部材７２〜７６の高さは同一であり、門形可動部材７７の高さは門形固定部材８０及び門形可動部材７２〜７６の高さより小さくなっており、図５（Ａ）及び図６（Ａ）に示すように、不使用時には門形可動部材７７が門形固定部材８０及び門形可動部材７２〜７６の内側に納まるようにしている。
なお、本発明の第２の実施の形態に係る折り畳み式ゴミ袋覆い装置７０の使用方法及び作用（又は動作）は、折り畳み式ゴミ袋覆い装置１０と同様であるので、説明を省略する。
【００３８】
図７（Ａ）、（Ｂ）及び図８（Ａ）、（Ｂ）を参照しながら、本発明の第３の実施の形態に係る折り畳み式ゴミ袋覆い装置９０について説明する。
折り畳み式ゴミ袋覆い装置９０は、歩道１１と車道１２の境界に設けられたガードレール１３の下端部に、取付部材（図示せず）を介して設けられ、設置面１４に実質的に水平に固定された水平軸９１と、水平軸９１に立設して取付けられた門形固定部材９６と、両端が水平軸９１に回動可能に取付けられた門形可動部材９２〜９４と、対象物であるゴミ袋Ｇを覆い、所定ピッチで固定した門形可動部材９２〜９４の回動に合わせて、水平軸９１を基準にして実質的に立設位置Ｖから水平位置Ｈまで展開可能なネット部材９５と、ネット部材９５の背部に設けられ、門形固定部材９６の開口部２１を覆うカバー部材の一例であるネット（図示せず）と、門形可動部材９２〜９４のうち設置面１４に当接する門形可動部材９４を持ち上げてネット部材９５を折り曲げ収納した状態で、門形可動部材９４を固定保持するロック機構５４ａとを有する。
【００３９】
門形固定部材９６及び門形可動部材９２〜９４はそれぞれ、両側に設けられた三角枠状の脚材とこれを連結する連結材とを有する門形フレームから形成されている。各脚材は、側面視して、水平軸９１を頂点にして概略２等辺三角形状に形成されている。
ロック機構５４ａは折り畳み式ゴミ袋覆い装置１０のロック機構５４と同じ構成としており、門形固定部材９６に取付フレーム５８ａ及びロックプレート６０ａが設けられており、門形可動部材９４には、折り畳み式ゴミ袋覆い装置１０の門形可動部材２０に設けられた掛止金具５５と同様の構造からなる掛止金具９７が取付けられている。
【００４０】
図７（Ａ）、（Ｂ）に示すように、門形可動部材９２〜９４及び門形固定部材９６を側面視した場合の水平軸９１を頂点とする頂角は略同一としており、門形可動部材９２〜９４を折り畳むと、図７（Ａ）及び図８（Ａ）に示すように、門形可動部材９２〜９４が門形固定部材９６内に入り込むことができるように、門形可動部材９２〜９４及び門形固定部材９６の縦横の寸法が決定されている。
なお、本発明の第３の実施の形態に係る折り畳み式ゴミ袋覆い装置９０の使用方法及び作用（又は動作）は、折り畳み式ゴミ袋覆い装置１０と同様であるので、説明を省略する。
【００４１】
本発明は前記した実施の形態に限定されるものではなく、本発明の要旨を変更しない範囲での変更は可能であり、例えば、前記したそれぞれの実施の形態や変形例の一部又は全部を組み合わせて本発明の折り畳み式ゴミ袋覆い装置を構成する場合も本発明の権利範囲に含まれる。
【００４２】
折り畳み式ゴミ袋覆い装置１０において、門形可動部材２０の形状を、側面視して概略２等辺三角形状としたが、これに限定されず、必要に応じて、門形可動部材１６〜１８と同様、側面視して棒状とすることもできる。また、門形可動部材１９の形状を、側面視して２等辺三角形状としたが、これに限定されず、必要に応じて、門形可動部材１６〜１８と同様、側面視して棒状とすることもできる。さらに、固定フレーム２４の形状を、側面視して概略２等辺三角形状としたが、これに限定されず、必要に応じて、門形可動部材１６〜１８及び折り畳み式ゴミ袋覆い装置７０の門形固定部材８０と同様、側面視して棒状とすることもできる。
【００４３】
三角枠状の脚材と連結材を有する門形固定部材に、必要に応じて、スカート布を設けることもできる。これにより、折り畳まれたネット部材が隠れるので、景観がさらによくなる。
門形可動部材１６〜２０及び固定フレーム２４の基端部を、回動部材４５〜４９及び固定部材５０の嵌入穴４５ａ〜４９ａ及び５０ａに嵌入して固定したが、これに限定されず、必要に応じて、溶接により固定することもできる。
門形固定部材を水平軸に固定したが、これに限定されず、必要に応じて、水平軸の近傍にある固定物に固定することもできる。
【００４４】
前記実施の形態において、各門形可動部材及び門形固定部材を固定するネット部材を一体構造としたが、これに限定されず、必要に応じて、ネット部材を、設置面に当接する門形可動部材をカバーする部分と、それ以外をカバーする部分とに２分割することもできる。ネット部材を２分割した場合には、ゴミ袋を投入する時、設置面に当接する門形可動部材を設置面に当接させたまま、他の門形可動部材だけを持ち上げることができる。なお、設置面に当接する門形可動部材以外の門形可動部材を持ち上げるために、設置面に当接する門形可動部材に隣接した門形可動部材に回動用の把手を設けることもできる。
【００４５】
設置面に当接する門形可動部材を持つために掛止金具を掴んだが、これに限定されず、必要に応じて、回動用の把手を設けることができる。また、設置面に当接する門形可動部材にはネット部材にスカート布を設け、これにより、猫やカラスが中のゴミ袋に触れないようにすることもできる。
ロック機構として、ワンタッチ式の構造としたが、これに限定されず、状況に応じて、その他の構造、例えば、ロープやチェーン等の紐状物を用いることもできる。また、いたずら防止用に施錠も可能である。
【００４６】
カバー部材として、門形固定部材の開口部を覆う矩形状の繊維からなるネットを設けたが、これに限定されず、状況に応じて、その他の材質（例えば、金属製）のネットを取付けることもでき、また、門形固定部材にネットを取付ける代わりに、正面視して矩形状の板（木材、鋼板）を設けることもできる。また、門形固定部材に板からなるカバー部材を一体化して取付けてもよい。
ネット部材の材質について言及しなかったが、可撓性を有していれば他の材質のものを使用することができ、繊維製の耐候性ネットを使用することが最も好ましい。
【００４７】
前記実施の形態において、折り畳み式ゴミ袋覆い装置を、歩道と車道の境界に設けられたガードレールの下端部に、取付部材を介して設けたが、これに限定されず、状況に応じて、その他の固定物（柵等）に設けることができる。また、固定物が無い場合には、別途支柱を設置することができる。
門形可動部材は主として線材を折り曲げて形成したが、これに限定されず、必要に応じて、強度と軽量化を考慮し、パイプ材を用いることもできる。
【図面の簡単な説明】
【００４８】
【図１】本発明の第１の実施の形態に係る折り畳み式ゴミ袋覆い装置の側面図である。
【図２】同折り畳み式ゴミ袋覆い装置の門形可動部材の説明図である。
【図３】同折り畳み式ゴミ袋覆い装置の水平軸の説明図である。
【図４】（Ａ）、（Ｂ）はそれぞれ、同折り畳み式ゴミ袋覆い装置のロック機構のロック時、ロック解除時の状態を表す説明図である。
【図５】（Ａ）、（Ｂ）はそれぞれ、本発明の第２の実施の形態に係る折り畳み式ゴミ袋覆い装置の不使用時、使用時を説明する側面図である。
【図６】（Ａ）、（Ｂ）はそれぞれ、同折り畳み式ゴミ袋覆い装置の不使用時、使用時を模式的に説明する正面図である。
【図７】（Ａ）、（Ｂ）はそれぞれ、本発明の第３の実施の形態に係る折り畳み式ゴミ袋覆い装置の不使用時、使用時を説明する側面図である。
【図８】（Ａ）、（Ｂ）はそれぞれ、同折り畳み式ゴミ袋覆い装置の不使用時、使用時を模式的に説明する正面図である。
【符号の説明】
【００４９】
１０：折り畳み式ゴミ袋覆い装置、１１：歩道、１２：車道、１３：ガードレール、１４：設置面、１５：水平軸、１６〜２０：門形可動部材、２１：開口部、２２：ネット部材、２３：開口部、２４：固定フレーム（門形固定部材）、２５、２５ａ、２５ｂ：脚材、２６、２６ａ、２６ｂ：脚材、２７、２７ａ、２７ｂ：連結材、２８、２８ａ：脚部、２９、２９ａ：脚部、３１、３１ａ：連結部、３２、３２ａ：脚材、３３、３３ａ：連結材、３４、３４ａ：連結材、３５、３６：脚部、３８：連結部、３９：脚材、４０、４１：連結材、４２：軸本体、４３、４４：位置決めストッパー、４５：回動部材、４５ａ：嵌入穴、４６：回動部材、４６ａ：嵌入穴、４７：回動部材、４７ａ：嵌入穴、４８：回動部材、４８ａ：嵌入穴、４９：回動部材、４９ａ：嵌入穴、５０：固定部材、５０ａ：嵌入穴、５１：ピン、５２：ピン孔、５３：ネット（カバー部材）、５４、５４ａ：ロック機構、５５：掛止金具、５６：取付部、５７：掛止部、５８、５８ａ：取付フレーム、５９：ピン、６０、６０ａ：ロックプレート、６１：切欠き溝、６２：把手部、６３：固定部、６４：掛止部、６５：掛止溝、６６：外側面、７０：折り畳み式ゴミ袋覆い装置、７１：水平軸、７２〜７７：門形可動部材、７８：ネット部材、７９：開口部、８０：門形固定部材、９０：折り畳み式ゴミ袋覆い装置、９１：水平軸、９２〜９４：門形可動部材、９５：ネット部材、９６：門形固定部材、９７：掛止金具
【図１】
2005239388.tif 000003
【図２】
2005239388.tif 000004
【図３】
2005239388.tif 000005
【図４】
2005239388.tif 000006
【図５】
2005239388.tif 000007
【図６】
2005239388.tif 000008
【図７】
2005239388.tif 000009
【図８】
2005239388.tif 000010